(57)【要約】      （修正有）【課題】消費電力の少ない省エネ型で、利便性と安全性、安定性があり、またＣＯ２の排出削減を可能にする台車型移動式投光機を提供する。【解決手段】台車移動式伸縮マストの上部にアーム（架台）１を固定し、そこへ電源回路を接続した蛍光ランプ装着の照明器を取付ける。その場合取付金具の回転調整ボルトにより上下の角度調整、３６０度回転による照射角度を自由に変えることができる。蛍光ランプが振動等により破損、亀裂、脱着等が発生しないように、防振金具（防振板に防振ゴム、シリコン材をネジ止めしたもの）を取付け、更にブレ防止と安定性を保つよう丸形板バネを付けた支柱をネジ入れ押さえた。点灯電源はＡＣ１００Ｖ／２００Ｖ及び発電機の３電源方式とし、複数台の照明器具を取付けた場合、各々にスイッチ２を設けておき適宜ＯＮ、ＯＦＦの節電操作が可能。【選択図】図１
0003151767.tif 000002
【実用新案登録請求の範囲】
【請求項１】
伸縮マストの上部にアーム（架台）を固定し蛍光ランプ装着の照明器を取付金具によりアーム（架台）に設置、上下の角度調整を可能としまた回転調整ボルトにより３６０度回転し照射角度を自由に変え、
【請求項２】
照明器に装着した蛍光ランプが振動等により破損、亀裂、脱着等が発生しないよう照明器内部に防振金具（防振板に防振ゴム、シリコン材をネジ止めしたもの）を取付け、更に上記防振金具にネジ止め式丸形板バネを付けた支柱にて蛍光ランプを押さえブレ防止と安定を保持し、
【請求項３】
また、電源はＡＣ１００Ｖ／２００Ｖ及び発電機の３電源方式とし、複数台の蛍光ランプ装着照明器を伸縮マストの上部アーム（架台）に設置した場合、各々にスイッチを設けておき照明場所、条件等に応じ適宜ＯＮ、ＯＦＦの節電操作が可能。
【考案の詳細な説明】
【技術分野】
【０００１】本考案は、台車移動式伸縮マストの上部に照度性が高く、長寿命で電力消費量も少ない蛍光ランプを照明器に装着しそれをアーム（架台）に設置し照射角度の調整が自由で、又防振金具により蛍光ランプが長期に亘り安全で、省エネとＣＯ２の排出削減も可能とした移動式投光機。
【背景技術】
【０００２】
【考案の開示】
【考案が解決しようとする課題】
【０００３】現行の移動式投光機より▲１▼消費電力の少ない省エネ型で、▲２▼伸縮マストの上部に照明器を設置した場合の利便性、安全性の確保、又▲３▼振動による蛍光ランプの破損、亀裂、脱着等の発生に対する対応策。ひいては▲４▼省エネ及び発電機によるＣＯ２の排出削減を可能にする。
【課題を解決するための手段】
【０００４】上記課題に対し
▲１▼蛍光ランプは少ない消費電力で照度性も高く長寿命など特性があり、
▲２▼伸縮マストの上部にアーム（架台）を固定し、そこへ取付金具で照明器を設置し回転調整ボルトにより照射角度を自由に変えることが可能にし、
▲３▼蛍光ランプを振動から守り安定するように防振金具を取付け、更に丸形板バネで押さえブレを防止し、
▲４▼電源を発電機及び商用電源ＡＣ１００Ｖ／２００Ｖの３電源方式にした。
【考案の効果】
【０００５】電力消費量も減少しＣＯ２の排出量も削減できる。
【図面の簡単な説明】
【０００６】
【図１】伸縮マストの上部にアーム（架台）を固定し、電源回路を接続した蛍光ランプ装着の照明器を取付けた図。及び各々のスイッチ図。
【図２】照明器は回転調整ボルトにより上下の角度調整、３６０度度回転による照射角度を自由に変えることができる図。
【図３】振動防止のゴムを取付けた防振金具図。
【図４】ブレ防止の丸形板バネを取付けた支柱図。
【図５】照明器を上下させ又３６０度回転させ角度を調整する取付金具とボルトの図。
【図６】台車伸縮マスト型の省エネ移動式マルチ（多目的）ライト完成図。
【符号の説明】
【０００７】▲１▼  アーム（架台）
▲２▼  節電スイッチ
▲３▼  防振ゴム、シリコン材
▲４▼  丸形板バネ付支柱
▲５▼  照明器を上下及び回転調整する取付金具及びボルト。
【図１】
0003151767.tif 000003
【図２】
0003151767.tif 000004
【図３】
0003151767.tif 000005
【図４】
0003151767.tif 000006
【図５】
0003151767.tif 000007
【図６】
0003151767.tif 000008
【手続補正書】
【提出日】平成20年12月4日(2008.12.4)
【手続補正１】
【補正対象書類名】実用新案登録請求の範囲
【補正対象項目名】全文
【補正方法】変更
【補正の内容】
【実用新案登録請求の範囲】
【請求項１】
台車型移動式伸縮マストの上部に電源回路を接続した照明器を取り付け、発電機とともに搭載した台車型移動式投光器において伸縮マストの上部に架台を固定し、その架台に蛍光ランプ装着の照明器を回転調整ボルト付取付金具にて設置し、ボルトの緩急により照明器が上下の角度および３６０度回転する形状を有する多目的ライト。
【請求項２】
照明器に装着した蛍光ランプが振動等により破損、亀裂、脱着等が発生しないよう照明器の内部に防振金具を取付け、更に防振金具にネジ止め式丸形板バネを付けた支柱にて蛍光ランプを押さえブレ防止と安定保持の形状を有する多目的ライト。
【請求項３】
照明器の電源はＡＣ１００Ｖ／２００Ｖ及び発電機の３電源方式にし、複数台の蛍光ランプ装着照明器を伸縮マストの上部架台に設置する場合は、各々にスイッチを設けておき照明場所、条件等に応じ適宜ＯＮ、ＯＦＦの節電操作の形状を有する多目的ライト。
【手続補正２】
【補正対象書類名】明細書
【補正対象項目名】全文
【補正方法】変更
【補正の内容】
【考案の詳細な説明】
【技術分野】
【０００１】本考案は、台車移動式伸縮マストの上部に架台を固定し、照度性が高く長寿命で電力消費量も少ない蛍光ランプを装着した照明器を回転調整ボルト付取付け金具にて架台に設置し、調製ボルトの緩急により照射角度の調整を可能にした。蛍光ランプが振動等により発生する弊害から守るため防振金具により押さえ、照明器の電源は発電機及びＡＣ１００Ｖ／２００Ｖの３電源方式にした。
【背景技術】
【０００２】
【考案の開示】
【考案が解決しようとする課題】
【０００３】現行の移動式投光機より▲１▼電力消費量の少ない省エネ型、▲２▼伸縮マストの上部に照明器を設置した場合の利便性、安全性の確保、▲３▼振動等による蛍光ランプの破損、亀裂、脱着等の発生に対する対応、▲４▼ＣＯ２の排出削減、等の問題をクリアしたい。
【課題を解決するための手段】
【０００４】▲１▼蛍光ランプは電力消費量が少なく長寿命で照度性も高い。
▲２▼伸縮マストの上部に架台を固定し、そこへ回転調整ボルト付取付金具により照明器を設置し、それにより照明器の照射角度が上下、３６０度回転することができる。
▲３▼蛍光ランプを振動等の弊害から守り安定するように防振金具を取付け更に丸形板バネにてランプを押さえてブレから守る。
▲４▼電源を発電機及び商用電源ＡＣ１００Ｖ／２００Ｖの３電源方式にする。
【考案の効果】
【０００５】電力消費量も減少しＣＯ２の排出量も削減する。
【図面の簡単な説明】
【０００６】
【図１】伸縮マストの上部に架台を固定し、電源回路を接続した蛍光ランプ装着の照明器を取付けた図。
【図２】照明器が回転調整ボルトにより上下の角度調整、３６０度回転による照射角度を自由に変えることができる図。
【図３】振動防止のゴムを取付けた防振金具図。
【図４】ブレ防止の丸形板バネを取付けた支柱図。
【図５】照明器を上下させ、３６０度回転させ角度を調整する取付け金具とボルトの図。
【図６】台車伸縮マスト型の省エネ移動式多目的ライトの図。
【符号の説明】
【０００７】    ▲１▼架台
▲２▼節電スイッチ
▲３▼防振金具
▲４▼丸形板バネ付支柱
▲５▼照明器を上下及び回転調整する取付け金具とボルト
【手続補正３】
【補正対象書類名】図面
【補正対象項目名】全図
【補正方法】変更
【補正の内容】
【図１】
0003151767.tif 000009
【図２】
0003151767.tif 000010
【図３】
0003151767.tif 000011
【図４】
0003151767.tif 000012
【図５】
0003151767.tif 000013
【図６】
0003151767.tif 000014
【手続補正書】
【提出日】平成21年2月10日(2009.2.10)
【手続補正１】
【補正対象書類名】実用新案登録請求の範囲
【補正対象項目名】全文
【補正方法】変更
【補正の内容】
【実用新案登録請求の範囲】
台車型移動式伸縮マストの上部に電源回路を接続した照明器を取り付け、発電機とともに搭載した台車型移動式投光器において
【請求項１】
伸縮マストの上部に架台を固定し、その架台に蛍光ランプ装着の照明器を回転調整ボルト付取付金具にて設置し、ボルトの緩急により照明器が上下の角度および３６０度回転する形状を有する多目的ライト。
【請求項２】
照明器に装着した蛍光ランプが振動等により破損、亀裂、脱着等が発生しないよう照明器の内部に防振金具を取付け、更に防振金具にネジ止め式丸形板バネを付けた支柱にて蛍光ランプを押さえブレ防止と安定保持を行うことを特徴とする、請求項１に記載の多目的ライト。
【請求項３】
照明器の電源はＡＣ１００Ｖ／２００Ｖ及び発電機の３電源方式にし、複数台の蛍光ランプ装着照明器を伸縮マストの上部架台に設置する場合は、各々にスイッチを設けておき照明場所、条件等に応じ適宜ＯＮ、ＯＦＦの節電操作を行うことを特徴とする、請求項１に記載の多目的ライト。
【手続補正書】
【提出日】平成21年4月9日(2009.4.9)
【手続補正１】
【補正対象書類名】実用新案登録請求の範囲
【補正対象項目名】全文
【補正方法】変更
【補正の内容】
【実用新案登録請求の範囲】
【請求項１】
台車型移動式伸縮マストの上部に電源回路を接続した照明器を取り付け、発電機とともに搭載した台車型移動式投光器において、伸縮マストの上部に架台を固定し、その架台に蛍光ランプ装着の照明器を回転調整ボルト付取付金具にて設置し、ボルトの緩急により照明器が上下の角度及び３６０度回転する形状を有する多目的ライト。
【請求項２】
照明器に装着した蛍光ランプが振動等により破損、亀裂、脱着等が発生しないよう照明器の内部に防振金具を取付け、更に防振金具にネジ止め式丸形板バネを付けた支柱にて蛍光ランプを押さえ、ブレ防止と安定保持を行うことを特徴とする、請求項１に記載の多目的ライト。
【請求項３】
照明器の電源はＡＣ１００Ｖ／２００Ｖ及び発電機の３電源方式にし、又複数台の蛍光ランプ装着照明器を伸縮マストの上部架台に設置する場合は、各々にスイッチを設けておき照明場所、条件等に応じ適宜ＯＮ・ＯＦＦの節電操作を行うことを特徴とする、請求項１に記載の多目的ライト。